(57)【要約】【解決手段】側壁２ａ〜２ｄの隅部付近に配置されているポケット・支脚部を構成するポケットｐ３間に位置する側壁の内壁に、側壁のフランジ３からポケットの底部まで延在する凹部９を形成し、更に、ポケットの下端面ｐ３ａを、中間水平リブ４ｂの下面４ｂ’より、下方に位置するように構成することにより、ネスティング状態において、上に位置する運搬用容器のポケットの下端面が、下に位置する運搬用容器のフランジ上に載置された際に、上に位置する運搬用容器の中間水平リブと下に位置する運搬用容器のフランジとの間に、間隙が形成されるように構成したものである。【効果】上に位置する運搬用容器を、下に位置する運搬用容器から、スムースに抜くことができるとともに、下に位置する運搬用容器が、上に位置する運搬用容器と一緒に持ち上がるというようなトラブルの発生を、確実に、防止することができる。【選択図】図６
2008184228.tif 000002
【特許請求の範囲】
【請求項１】
ポケットと該ポケットに隣接して配置された支脚とからなるポケット・支脚部が、相対する側壁の隅部付近に、それぞれ配置されているとともに、底部と側壁が、共に、透孔を有しないベタに形成されており、上に位置する運搬用容器の支脚を、下に位置する運搬用容器のポケットに挿入することにより、上に位置する運搬用容器と下に位置する運搬用容器とが、ネスティング状態となるように構成されている運搬用容器において、側壁の隅部付近に配置されているポケット・支脚部を構成するポケット間に位置する側壁の内壁には、側壁のフランジからポケットの底部まで延在する凹部が形成されており、更に、ポケットの下端面を、中間水平リブの下面より、下方に位置するように構成することにより、ネスティング状態において、上に位置する運搬用容器のポケットの下端面が、下に位置する運搬用容器のフランジ上に載置された際に、上に位置する運搬用容器の中間水平リブと下に位置する運搬用容器のフランジとの間に、間隙が形成されるように構成されていることを特徴とする運搬用容器。
【発明の詳細な説明】
【技術分野】
【０００１】
本発明は、空の運搬用容器を積み重ねる際には、上に位置する容器のほぼ半分が、下に位置する運搬用容器に嵌め込まれ、所謂、ネスティングされ、また、内容物が収納された運搬用容器を積み重ねる際には、上に位置する運搬用容器が、下に位置する容器のフランジに載置されて、嵌め込まれないように積み重ねる、所謂、スタッキングされることが可能な運搬用容器に関するものである。
【背景技術】
【０００２】
従来、透孔が形成されていないベタの底部と、同じく、透孔が形成されていないベタで、しかも、外側にやや傾斜した側壁と、側壁の上端から外方向に水平に延在するフランジとを有する箱型形状の運搬容器（底部及び側壁が、共に、透孔が形成されていないベタに形成された運搬容器を、以下、単に、「ベタ容器」という。ベタ容器は、底部及び側壁には、いずれも、透孔が形成されていないベタに形成されているので、液体の収納、運搬に適している。勿論、部品や食料品等の種々の物品を収納、運搬することもできる。）において、内壁に形成された縦長の凹部からなるポケットと、該ポケット付近の側壁の外壁に形成された支脚とからなるポケット・支脚部を、適宜、配設したベタ容器が知られており、このような、ポケット・支脚部を、適宜、配設したベタ容器は、上に位置するベタ容器の支脚が、下に位置するベタ容器のポケットに挿入されて、上に位置するベタ容器が、下に位置するベタ容器に嵌め込まれる、所謂、ネスティングされるように構成されており、また、ネスティングの状態から、何方か、一方のベタ容器を、水平面上を１８０度回転させると、上に位置するベタ容器の支脚が、下に位置するベタ容器のフランジに載置されて、所謂、スタッキングされるように構成されている。このようなベタ容器は、一例として、特許文献１に記載されている。
【０００３】
【特許文献１】特開平１１−３０１６７９号公報
【発明の開示】
【発明が解決しようとする課題】
【０００４】
上述したように、ネスティング及びスタッキングが可能なベタ容器においては、ネスティングされているベタ容器のうち、上に位置するベタ容器を、下に位置するベタ容器に対して、上方に引き抜こうとすると、下に位置するベタ容器と、該ベタ容器にネスティングされている上に位置するベタ容器との間に存在する空間部の空気が負圧になり、上に位置するベタ容器が、スムースに抜けなかったり、或いは、下に位置するベタ容器が、上に位置するベタ容器と一緒に持ち上げられるという問題があった。
【０００５】
本発明の目的は、上述した従来の運搬用容器が有する課題を解決することにある。
【課題を解決するための手段】
【０００６】
本発明は、上述した目的を達成するために、ポケットと該ポケットに隣接して配置された支脚とからなるポケット・支脚部が、相対する側壁の隅部付近に、それぞれ配置されているとともに、底部と側壁が、共に、透孔を有しないベタに形成されており、上に位置する運搬用容器の支脚を、下に位置する運搬用容器のポケットに挿入することにより、上に位置する運搬用容器と下に位置する運搬用容器とが、ネスティング状態となるように構成されている運搬用容器において、側壁の隅部付近に配置されているポケット・支脚部を構成するポケット間に位置する側壁の内壁に、側壁のフランジからポケットの底部まで延在する凹部を形成し、更に、ポケットの下端面を、中間水平リブの下面より、下方に位置するように構成することにより、ネスティング状態において、上に位置する運搬用容器のポケットの下端面が、下に位置する運搬用容器のフランジ上に載置された際に、上に位置する運搬用容器の中間水平リブと下に位置する運搬用容器のフランジとの間に、間隙が形成されるように構成したものである。
【発明の効果】
【０００７】
本発明は、以上説明したような構成を有するので、以下に記載する効果を奏するものである。
【０００８】
側壁の隅部付近に配置されているポケット・支脚部を構成するポケット間に位置する側壁の内壁に、側壁のフランジからポケットの底部まで延在する凹部を形成し、更に、ポケットの下端面を、中間水平リブの下面より、下方に位置するように構成することにより、ネスティング状態において、上に位置する運搬用容器のポケットの下端面が、下に位置する運搬用容器のフランジ上に載置された際に、上に位置する運搬用容器の中間水平リブと下に位置する運搬用容器のフランジとの間に、間隙が形成されるように構成したので、ネスティング状態から、下に位置する運搬用容器に対して、上に位置する運搬用容器を上方に引き抜く際に、下に位置する運搬用容器と上に位置する運搬用容器との間に存在する空間部の空気が、一瞬、負圧状態になっても、瞬時に、外気が、前記凹部及び前記間隙を経て、下に位置する運搬用容器と上に位置する運搬用容器との間に存在する空間部に流れ込み、下に位置する運搬用容器と上に位置する運搬用容器との間に存在する空間部の負圧状態が解消されることになり、従って、上に位置する運搬用容器を、下に位置する運搬用容器から、スムースに抜くことができるとともに、下に位置する運搬用容器が、上に位置する運搬用容器と一緒に持ち上がるというようなトラブルの発生を、確実に、防止することができる。
【実施例】
【０００９】
以下に、本発明の実施例について説明するが、本発明の趣旨を越えない限り何ら、本実施例に限定されるものではない。
【００１０】
先ず最初に、図１及び図２を用いて、一例としてのベタ容器の全体構成について説明する。
【００１１】
ベタ容器Ｃは、透孔が形成されていないベタの底部１、同じく、透孔が形成されていないベタで、且つ、外側にやや傾斜した相対する長辺側の側壁２ａ、２ｂ（以下、単に、「長側壁」という。）、及び、同じく、透孔が形成されていないベタで、且つ、外側にやや傾斜した相対する短辺側の側壁２ｃ、２ｄ（以下、単に、「短側壁」という。）とから構成されている。３は、ベタ容器Ｃの開口部を取り囲むように、長側壁２ａ、２ｂ及び短側壁２ｃ、２ｄの上端から外側水平方向に延設されたフランジ３である。４ａは、フランジ３の下方で、フランジ３付近に形成された上部水平リブであり、４ｂは、角部に位置する上部水平リブ４ａの下方で、ベタ容器Ｃのほぼ中程に形成された中間水平リブである。中間水平リブ４ｂは、長側壁２ａ、２ｂ及び短側壁２ｃ、２ｄを囲むように、ベタ容器Ｃの全周に渡って形成することもできる。４ｃは、フランジ３と上部水平リブ４ａを、適宜、連結する垂直リブであり、４ｄは、上部水平リブ４ａと中間水平リブ４ｂを、適宜、連結する垂直リブである。
【００１２】
ｐ１は、フランジ３から底部１に向かって、長側壁２ａ、２ｂの一方の隅部寄りの内壁に形成された縦長の凹部からなるポケットであり、ベタ容器Ｃの略半分の深さを有している。ｃ１は、ポケットｐ１と適当な間隙を置いて或いはポケットｐ１に隣接して、ポケットｐ１より、ベタ容器Ｃの中央部寄りの長側壁２ａ、２ｂの外壁に形成された支脚であり、支脚ｃ１は、中間水平リブ４ｂから底部１付近まで延びるように形成されている。上記のポケットｐ１の内幅は、上記の支脚ｃ１の外幅より広く形成されている。以下、このような、幅広のポケットｐ１と幅狭の支脚ｃ１との組み合わせを幅広ポケット・支脚部Ｓ１と称する。
【００１３】
ｃ２は、長側壁２ａ、２ｂのもう一方の隅部寄りの外壁に形成された、上述した支脚ｃ１より、幅広の支脚であり、支脚ｃ２は、中間水平リブ４ｂから底部１付近まで延びるように形成されている。ｐ２は、支脚ｃ２と適当な間隙を置いて或いは支脚ｃ２に隣接して、支脚ｃ２より、ベタ容器Ｃの中央部寄りの長側壁２ａ、２ｂの内壁に形成された縦長の凹部からなるポケットであり、ベタ容器Ｃの略半分の深さを有している。該ポケットｐ２は、幅広ポケット・支脚部Ｓ１のポケットｐ１の内幅より狭い内幅を有しており、支脚ｃ２の外幅は、幅広ポケット・支脚部Ｓ１の支脚ｃ１の外幅より広く形成されている。以下、このような、幅広の支脚ｃ２と幅狭のポケットｐ２との組み合わせを幅広支脚・ポケット部Ｓ２と称する。なお、支脚ｃ１、ｃ２の下面には、支脚ｃ１、ｃ２の幅間隔でもって、下方に突起ｃ１’、ｃ２’が延設されており、この突起ｃ１’、ｃ２’は、スタッキングの際に、下に位置するベタ容器Ｃ内に挿入され、上に位置するベタ容器Ｃの横移動を少なくするような機能を有するものであり、一般に、寄せリブと称せられている。
【００１４】
幅広ポケット・支脚部Ｓ１の幅狭の支脚ｃ１の外幅は、幅広支脚・ポケット部Ｓ２の幅狭のポケットｐ２の内幅より狭く形成されており、従って、ネスティングの際には、幅広ポケット・支脚部Ｓ１の幅狭の支脚ｃ１が、幅広支脚・ポケット部Ｓ２の幅狭のポケットｐ２に挿入できるように構成されている。また、幅広支脚・ポケット部Ｓ２の幅広の支脚ｃ２の外幅は、幅広ポケット・支脚部Ｓ１の幅広ポケットｐ１の内幅より狭く形成されており、従って、ネスティングの際には、幅広支脚・ポケット部Ｓ２の幅広の支脚ｃ２が、幅広ポケット・支脚部Ｓ１の幅広のポケットｐ１に挿入できるように構成されている。
【００１５】
上述した幅広ポケット・支脚部Ｓ１は、相対する長側壁２ａ、２ｂの一方の隅部付近に、互いに対向して配置されており、また、相対する長側壁２ａ、２ｂのもう一方の隅部付近には、互いに対向するように、幅広支脚・ポケット部Ｓ２が配置されている。
【００１６】
また、相対する短側壁２ｃ、２ｄのうち一方の短側壁２ｃの外壁の隅部付近には、一対の支脚ｃ３が、中間水平リブ４ｂから底部１付近まで延びるように形成されており、また、支脚ｃ３と適当な間隙を置いて或いは支脚ｃ３に隣接して、支脚ｃ３より、ベタ容器Ｃの中央部寄りの短側壁２ｃの内壁には、ベタ容器Ｃの略半分の深さを有するポケットｐ３が形成されている。同様に、相対する短側壁２ｃ、２ｄのうちもう一方の短側壁２ｄの内壁の隅部付近には、ベタ容器Ｃの略半分の深さを有する一対の上記ポケットｐ３と同じポケットｐ３が形成されており、また、ポケットｐ３と適当な間隙を置いて或いはポケットｐ３に隣接して、ポケットｐ３より、ベタ容器Ｃの中央部寄りの短側壁２ｄの外壁には、一対の上記支脚ｃ３と同じ支脚ｃ３が、中間水平リブ４ｂから底部１付近まで延びるように形成されている。そして、支脚ｃ３の外幅は、ポケットｐ３の内幅より狭く構成されている。なお、支脚ｃ３にも、上述した支脚ｃ１、ｃ２と同様に、寄せリブｃ３’が形成されている。一方の短側壁２ｃの外壁に形成された支脚ｃ３は、もう一方の短側壁２ｄの内壁に形成されたポケットｐ３と、互いに対向するように配置されており、また、一方の短側壁２ｃの内壁に形成されたポケットｐ３は、もう一方の短側壁２ｄの外壁に形成された支脚ｃ３と、互いに対向するように配置されている。
【００１７】
なお、上述した各ポケットｐ１、ｐ２、ｐ３の各底部ｐ１’、ｐ２’、ｐ３’には、ベタ容器Ｃの内側で、下方に延びる段部ｐ１”、ｐ２”、ｐ３”が、形成されており、この段部ｐ１”、ｐ２”、ｐ３”には、ネスティングの際に、ポケットｐ１、ｐ２、ｐ３に挿入された支脚ｃ１、ｃ２、ｃ３の寄せリブｃ１’、ｃ２’、ｃ３’が入り込むように構成されている。このような段部ｐ１”、ｐ２”、ｐ３”を、形成することにより、ネスティングの際に、各ポケットｐ１、ｐ２、ｐ３の各底部ｐ１’、ｐ２’、ｐ３’から外れた寄せリブｃ１’、ｃ２’、ｃ３’が、長側壁２ａ、２ｂ及び短側壁２ｃ、２ｄの内壁に圧接して、下に位置するベタ容器に嵌合された上に位置するベタ容器が、下に位置するベタ容器から取り出し難いというようなトラブルを防止することができるように構成されている。
【００１８】
下に位置するベタ容器Ｃと上に位置するベタ容器Ｃとが、同じ向きになるように、即ち、下に位置するベタ容器Ｃの幅広ポケット・支脚部Ｓ１の上方に、上に位置するベタ容器Ｃの幅広ポケット・支脚部Ｓ１が位置し、また、下に位置するベタ容器Ｃの幅広支脚・ポケット部Ｓ２の上方に、上に位置するベタ容器Ｃの幅広支脚・ポケット部Ｓ２が位置するように、ベタ容器Ｃを積み重ねると、上に位置するベタ容器Ｃの合計８本の支脚ｃ１、ｃ２、ｃ３が、下に位置するベタ容器Ｃのフランジ３に載置されるので、下に位置するベタ容器Ｃの上に、上に位置するベタ容器Ｃがスタッキングされることになる。なお、スタッキングの際には、上に位置するベタ容器Ｃの支脚ｃ１、ｃ２、ｃ３の寄せリブｃ１’、ｃ２’、ｃ３’が、下に位置するベタ容器Ｃ内に挿入され、上に位置するベタ容器Ｃの横移動を少なくするように構成されている。
【００１９】
また、スタッキング状態から、上に位置するベタ容器Ｃを、平面的に、１８０度回転させて、下に位置するベタ容器Ｃと上に位置するベタ容器Ｃとが、異なる向きになるように、即ち、下に位置するベタ容器Ｃの幅広ポケット・支脚部Ｓ１の上方に、上に位置するベタ容器Ｃの幅広支脚・ポケット部Ｓ２が位置し、また、下に位置するベタ容器Ｃの幅広支脚・ポケット部Ｓ２の上方に、上に位置するベタ容器Ｃの幅広ポケット・支脚部Ｓ１が位置するように配置すると、下に位置するベタ容器Ｃの幅広ポケット・支脚部Ｓ１の幅広のポケットｐ１に、上に位置するベタ容器Ｃの幅広支脚・ポケット部Ｓ２の幅広の支脚ｃ２が、また、下に位置するベタ容器Ｃの幅広支脚・ポケット部Ｓ２の幅狭のポケットｐ２に、上に位置するベタ容器Ｃの幅広ポケット・支脚部Ｓ１の幅狭の支脚ｃ１が、それぞれ挿入されることになり、更に、下に位置するベタ容器Ｃの短側壁２ｃのポケットｐ３に、上に位置するベタ容器Ｃの短側壁２ｄの支脚ｃ３が、更にまた、下に位置するベタ容器Ｃの短側壁２ｄのポケットｐ３に、上に位置するベタ容器Ｃの短側壁２ｃの支脚ｃ３が、それぞれ挿入されることになり、従って、上に位置するベタ容器Ｃの略半分が、下に位置するベタ容器Ｃの内部に嵌め込まれてネスティングされることになる。このようなネスティング状態においては、上に位置するベタ容器Ｃのポケットｐ１、ｐ２、ｐ３の下端面ｐ１ａ、ｐ２ａ、ｐ３ａが、下に位置するベタ容器Ｃのフランジ３上に載置されるように構成されている。
【００２０】
本実施例においては、図１や図３等に示されているように、ポケットｐ１、ｐ２、ｐ３の下端面ｐ１ａ、ｐ２ａ、ｐ３ａが、中間水平リブ４ｂの下面４ｂ’より、若干、下方に位置している。従って、上述したネスティング状態において、上に位置するベタ容器Ｃのポケットｐ１、ｐ２、ｐ３の下端面ｐ１ａ、ｐ２ａ、ｐ３ａが、下に位置するベタ容器Ｃのフランジ３上に載置された際に、上に位置するベタ容器Ｃの中間水平リブ４ｂと下に位置するベタ容器Ｃのフランジ３との間には、隙間が形成されるように構成されている。
【００２１】
なお、上述した、長側壁２ａ、２ｂに配設された幅広ポケット・支脚部Ｓ１及び幅広支脚・ポケット部Ｓ２の配置、更には、短側壁２ｃ、２ｄに配設されたポケットｐ３と支脚ｃ３の配置は、上述した配置に限定されるものではなく、下に位置するベタ容器Ｃと上に位置するベタ容器Ｃとが、同じ向きに積み重ねられた際には、下に位置するベタ容器Ｃの開口部に形成されたフランジ上に、上に位置するベタ容器Ｃの支脚が載置されて、上に位置するベタ容器Ｃが、下に位置するベタ容器Ｃに嵌め込まれないように積み重ねられる、所謂、スタッキングされ、また、スタッキング状態から、上に位置するベタ容器Ｃを、平面的に、１８０度回転させることにより、上に位置するベタ容器Ｃの支脚が、下に位置するベタ容器Ｃのポケットに挿入されて、上に位置するベタ容器Ｃが、下に位置するベタ容器Ｃに嵌め込まれる、所謂、ネスティングされるような配置であればどのような配置でもよい。
【００２２】
次に、主として、図３を用いて、上述した支脚ｃ１、ｃ２、ｃ３のより具体的な構造について説明するが、幅が異なる以外は、支脚ｃ１、ｃ２、ｃ３は、全て、同じ構成を有しているので、以下においては、図１において、長側壁２ｂの右側に位置する、幅広の支脚ｃ２を例に説明する。
【００２３】
支脚ｃ２は、所定の間隔を置いて、長側壁２ｂの外壁に対して、ほぼ垂直に立設されるとともに、中間水平リブ４ｂから底部１付近まで延びる垂直リブ５、５と、垂直リブ５、５の下端を連結する下端連結リブ６と、垂直リブ５、５の中程を連結する中間連結リブ７と、下端連結リブ６の下面から、垂直リブ５、５の延長線上に延在する寄せリブｃ２’とから構成されている。また、下端連結リブ６には、透孔８が穿設されており、この透孔８は、１つでも、また、複数個、穿設することができる。更に、このような、透孔８は、全部の支脚ｃ１、ｃ２、ｃ３の下端連結リブ６に穿設することも、支脚ｃ１、ｃ２、ｃ３のうち、１つ或いは複数の支脚ｃ１、ｃ２、ｃ３の下端連結リブ６に穿設することもできる。更にまた、この透孔８は、孔に限定されることなく、下端連結リブ６の端縁６ａ側が開口した溝や凹部等の開口として形成することもできる。
【００２４】
次に、主として、図４及び図５を用いて、上述した支脚ｃ２の連結リブ６に穿設された透孔８の機能について説明する。
【００２５】
上述したように、スタッキング状態から、上に位置するベタ容器Ｃｕを、平面的に、１８０度回転させて、下に位置するベタ容器Ｃｂと上に位置するベタ容器Ｃｕとが、異なる向きになるように、即ち、下に位置するベタ容器Ｃｂの幅広ポケット・支脚部Ｓ１の上方に、上に位置するベタ容器Ｃｕの幅広支脚・ポケット部Ｓ２が位置し、また、下に位置するベタ容器Ｃｂの幅広支脚・ポケット部Ｓ２の上方に、上に位置するベタ容器Ｃｕの幅広ポケット・支脚部Ｓ１が位置するように配置すると、下に位置するベタ容器Ｃｂの幅広ポケット・支脚部Ｓ１の幅広のポケットｐ１に、上に位置するベタ容器Ｃｕの幅広支脚・ポケット部Ｓ２の幅広の支脚ｃ２が、また、下に位置するベタ容器Ｃｂの幅広支脚・ポケット部Ｓ２の幅狭のポケットｐ２に、上に位置するベタ容器Ｃｕの幅広ポケット・支脚部Ｓ１の幅狭の支脚ｃ１が、それぞれ挿入されることになり、更に、下に位置するベタ容器Ｃｂの短側壁２ｃのポケットｐ３に、上に位置するベタ容器Ｃｕの短側壁２ｄの支脚ｃ３が、更にまた、下に位置するベタ容器Ｃｂの短側壁２ｄのポケットｐ３に、上に位置するベタ容器Ｃｂの短側壁２ｃの支脚ｃ３が、それぞれ挿入されることになり、従って、上に位置するベタ容器Ｃｕの略半分が、下に位置するベタ容器Ｃｂの内部に嵌め込まれてネスティングされることになる。
【００２６】
そして、図５に示されているように、ネスティング状態においては、上に位置するベタ容器Ｃｕの幅広支脚・ポケット部Ｓ２の幅広の支脚ｃ２が、下に位置するベタ容器Ｃｂの幅広ポケット・支脚部Ｓ１の幅広のポケットｐ１に挿入され、この状態においては、上に位置するベタ容器Ｃｕの幅広支脚・ポケット部Ｓ２の幅広の支脚ｃ２の連結リブ６が、下に位置するベタ容器Ｃｂの幅広ポケット・支脚部Ｓ１の幅広のポケットｐ１の底部ｐ１’に載置されている。そして、下に位置するベタ容器Ｃｂと、該ベタ容器Ｃｂにネスティングされている上に位置するベタ容器Ｃｕとの間に存在する空間部Ａが、支脚ｃ２の連結リブ６に穿設された透孔８を通じて、外気と連通している。
【００２７】
このようなネスティング状態から、下に位置するベタ容器Ｃｂに対して、上に位置するベタ容器Ｃｕを上方に引き抜くと、下に位置するベタ容器Ｃｂと上に位置するベタ容器Ｃｕとの間に存在する空間部Ａの空気が、一瞬、負圧状態になっても、瞬時に、外気が、支脚ｃ２の連結リブ６に穿設された透孔８を通して、空間部Ａに流れ込み、下に位置するベタ容器Ｃｂと上に位置するベタ容器Ｃｕとの間に存在する空間部Ａの負圧状態が解消され、従って、上に位置するベタ容器Ｃｕが、下に位置するベタ容器Ｃｂから、スムースに抜けなかったり、或いは、下に位置するベタ容器Ｃｂが、上に位置するベタ容器Ｃｕと一緒に持ち上がるというようなトラブルが防止できる。
【００２８】
なお、上述したように、外気が、支脚ｃ２の連結リブ６に穿設された透孔８を通って、空間部Ａに流れ込む際に、支脚ｃ２の垂直リブ５、５の中程を連結する中間連結リブ７が、このような外気の流れを妨害しないようにするために、中間連結リブ７を省略したり、或いは、中間連結リブ７の長側壁２ｂの外壁からの長さＬを短くすることもできる。
【００２９】
次に、図６及び図７を用いて、本発明の他の実施例について説明する。
【００３０】
この実施例は、相対する短側壁２ｃ、２ｄのうちの一方の短側壁２ｃの内壁の隅部付近に形成された、ベタ容器Ｃの略半分の深さを有する一対のポケットｐ３の間に位置する短側壁２ｃを、外側に膨出させて、短側壁２ｃの内壁２ｃ’に、ベタ容器Ｃのフランジ３からポケットｐ３の底部ｐ３’或いは段部ｐ３”まで延びる凹部９を形成したものである。凹部９の内壁９ａと短側壁２ｃの内壁２ｃ’とは、ほぼ平行に形成されている。
【００３１】
このように、一方の短側壁２ｃの一対のポケットｐ３の間に位置する短側壁２ｃを、外側に膨出させて、凹部９が形成されたベタ容器Ｃをネスティングすると、図７に示されているように、上に位置するベタ容器Ｃｕの上記のような凹部が形成されていない短側壁２ｄの外壁２ｄ’と、下に位置するベタ容器Ｃｂの凹部９が形成された短側壁２ｃの上記凹部９の内壁９ａとの間に、下に位置するベタ容器Ｃｂと、該ベタ容器Ｃｂにネスティングされている上に位置するベタ容器Ｃｕとの間に存在する空間部Ａが外気と連通する、隙間１０が形成されることになる。従って、このようなネスティング状態から、下に位置するベタ容器Ｃｂに対して、上に位置するベタ容器Ｃｕを上方に引き抜くと、下に位置するベタ容器Ｃｂと上に位置するベタ容器Ｃｕとの間に存在する空間部Ａの空気が、一瞬、負圧状態になっても、瞬時に、外気が、上に位置するベタ容器Ｃｕの短側壁２ｄの外壁２ｄ’と、下に位置するベタ容器Ｃｂの凹部９の内壁９ａとの間に形成された隙間１０を通じて、空間部Ａに流れ込み、下に位置するベタ容器Ｃｂと上に位置するベタ容器Ｃｕとの間に存在する空間部Ａの負圧状態が解消され、従って、上に位置するベタ容器Ｃｕが、スムースに抜けなかったり、或いは、下に位置するベタ容器Ｃｂが、上に位置するベタ容器Ｃｕと一緒に持ち上がるというようなトラブルの発生が防止できる。
【００３２】
上述した実施例においては、短側壁２ｃを外側に膨出させて、内壁２ｃ’に凹部９を形成した例が示されているが、もう一方の短側壁２ｄを外側に膨出させて、内壁２ｄ’に、同様の凹部を形成することもできる。また、相対する短側壁２ｃ、２ｄの両方を外側に膨出させて、両方の内壁２ｃ’２ｄ’に、同様の凹部を形成することもできる。
【００３３】
次に、図８〜図１０を用いて、本発明の更に他の実施例について説明する。
【００３４】
この実施例は、相対する長側壁２ａ、２ｂのうちの一方の長側壁２ａに形成されたポケットｐ１とポケットｐ２との間に位置する長側壁２ａを、外側に膨出させて、長側壁２ａの内壁２ａ’に、ベタ容器Ｃのフランジ３から、ポケットｐ１の底部ｐ１’或いは段部ｐ１”及びポケットｐ２の底部ｐ２’或いは段部ｐ２”まで延びる凹部１１を形成したものである。この凹部１１を、長側壁２ａの上端から外側水平方向に延設されたフランジ３の幅を狭くすることなく形成するために、フランジ３と長側壁２ａとで形成されるベタ容器Ｃの内側角部１２から、凹部１１の下端１１ａまで延びる凹部１１の内壁１１ｂを、長側壁２ａの内壁２ａ’より、より外側に傾斜させて、換言すれば、より垂直方向に傾斜させることにより、凹部１１が形成されている。
【００３５】
従来より、上に位置するベタ容器Ｃｕの一方の短側壁２ｃを持ち上げたまま、或いは、上に位置するベタ容器Ｃｕの短側壁２ｄ側付近の底部１を、下に位置するベタ容器Ｃｂの短側壁２ｄ側のフランジ３に載置した状態で、上に位置するベタ容器Ｃｕの短側壁２ｄ側に位置する幅広支脚・ポケット部Ｓ２の幅広の支脚ｃ２を、下に位置するベタ容器Ｃｂの長側壁２ａ、２ｂ側のフランジ３に載置するとともに、上に位置するベタ容器Ｃｕを、フランジ３上を、下に位置するベタ容器Ｃｂの短側壁２ｃ方向にスライドさせてスタッキングさせる、所謂、スライドスタッキングが行われている。このスライドスタッキング際に、凹部１１を形成するために、上述した短側壁２ｃの内壁２ｃ’に形成された凹部９のように、フランジ３の幅を狭くして形成すると、スライドスタッキングの際に、下に位置するベタ容器Ｃｂのフランジ３に載置された、上に位置するベタ容器Ｃｕの幅広支脚・ポケット部Ｓ２の幅広の支脚ｃ２が、フランジ３から外れることがあるので、長側壁２ａに形成される凹部１１は、上述したように、フランジ３の幅を狭くすることなく形成することが必要である。
【００３６】
このように、一方の長側壁２ａの一対のポケットｐ１、ｐ２の間に位置する長側壁２ａを、外側に膨出させて、凹部１１が形成されたベタ容器Ｃをネスティングすると、図１０に示されているように、上に位置するベタ容器Ｃｕの上記のような凹部が形成されていない長側壁２ｂの外壁２ｂ’と、下に位置するベタ容器Ｃｂの凹部１１が形成された長側壁２ａの上記凹部１１の内壁１１ｂとの間に、下に位置するベタ容器Ｃｂと、該ベタ容器Ｃｂにネスティングされている上に位置するベタ容器Ｃｕとの間に存在する空間部Ａが、外気と連通する、隙間１３が形成されることになる。従って、このようなネスティング状態から、下に位置するベタ容器Ｃｂに対して、上に位置するベタ容器Ｃｕを上方に引き抜くと、下に位置するベタ容器Ｃｂと上に位置するベタ容器Ｃｕとの間に存在する空間部Ａの空気が、一瞬、負圧状態になっても、瞬時に、外気が、上に位置するベタ容器Ｃｕの長側壁２ｂの外壁２ｂ’と、下に位置するベタ容器Ｃｂの凹部１１の内壁１１ｂとの間に形成された隙間１３を通じて、空間部Ａに流れ込み、下に位置するベタ容器Ｃｂと上に位置するベタ容器Ｃｕとの間に存在する空間部Ａの負圧状態が解消され、従って、上に位置するベタ容器Ｃｕが、スムースに抜けなかったり、或いは、下に位置するベタ容器Ｃｂが、上に位置するベタ容器Ｃｕと一緒に持ち上がるというようなトラブルの発生が防止できる。
【００３７】
上述した実施例においては、長側壁２ａを外側に膨出させて、内壁２ａ’に凹部１１を形成した例が示されているが、もう一方の長側壁２ｂを外側に膨出させて、内壁２ｂ’に、同様の凹部を形成することもできる。また、相対する長側壁２ａ、２ｂの両方を外側に膨出させて、両方の内壁２ａ’２ｂ’に、同様の凹部を形成することもできる。
【００３８】
本発明は、ネスティング状態から、下に位置するベタ容器Ｃｂに対して、上に位置するベタ容器Ｃｕを上方に引き抜く際に、下に位置するベタ容器Ｃｂと上に位置するベタ容器Ｃｕとの間に存在する空間部Ａの空気が、一瞬、負圧状態になっても、瞬時に、外気が、空間部Ａに流れ込み、下に位置するベタ容器Ｃｂと上に位置するベタ容器Ｃｕとの間に存在する空間部Ａの負圧状態が解消されるように、空間部Ａと外気とを連通する通路（透孔８、凹部９、１１）を形成するように構成したので、上に位置するベタ容器Ｃｕを、下に位置するベタ容器Ｃｂから、スムースに抜くことができるとともに、下に位置するベタ容器Ｃｂが、上に位置するベタ容器Ｃｕと一緒に持ち上がるというようなトラブルの発生を、確実に、防止することができる。
【００３９】
本発明は、以上説明したような構成を有するので、以下に記載する効果を奏するものである。
【００４０】
ネスティング状態から、下に位置するベタ容器に対して、上に位置するベタ容器を上方に引き抜く際に、下に位置するベタ容器と上に位置するベタ容器との間に存在する空間部の空気が、一瞬、負圧状態になっても、瞬時に、外気が、空間部に流れ込み、下に位置するベタ容器と上に位置するベタ容器との間に存在する空間部の負圧状態が解消されるように、空間部と外気とを連通する通路を形成するように構成したので、上に位置するベタ容器を、下に位置するベタ容器から、スムースに抜くことができるとともに、下に位置するベタ容器が、上に位置するベタ容器と一緒に持ち上がるというようなトラブルの発生を、確実に、防止することができる。
【００４１】
下に位置する運搬用容器と上に位置する運搬用容器との間に存在する空間部と外気とを連通する通路を、支脚に形成したので、金型の大きな変更無しに、通路を設けることができる。
【００４２】
下に位置する運搬用容器と上に位置する運搬用容器との間に存在する空間部と外気とを連通する通路を、短側壁に形成された凹部として構成したので、大きな通路を形成することができ、従って、上に位置するベタ容器を、下に位置するベタ容器から、よりスムースに抜くことができる。また、凹部を形成したために、短側壁に段部が形成されるので、短側壁の変形を防止することができる。
【００４３】
下に位置する運搬用容器と上に位置する運搬用容器との間に存在する空間部と外気とを連通する通路を、長側壁に形成された凹部として構成したので、更に大きな通路を形成することができ、従って、上に位置するベタ容器を、下に位置するベタ容器から、よりスムースに抜くことができる。また、凹部を形成したために、長側壁に段部が形成されるので、長側壁の変形を防止することができる。
【図面の簡単な説明】
【００４４】
【図１】図１は、本発明の運搬用容器の斜視図である。
【図２】図２は、本発明の運搬用容器の平面図である。
【図３】図３は、本発明の運搬用容器の支脚部付近の部分拡大斜視図である。
【図４】図４は、本発明の２つの運搬用容器がネスティングされる前の状態の斜視図である。
【図５】図５は、本発明の２つの運搬用容器がネスティングされた状態の短側壁に沿った部分垂直断面図である。
【図６】図６は、本発明の他の実施例の２つの運搬用容器がネスティングされる前の状態の斜視図である。
【図７】図７は、本発明の他の実施例の２つの運搬用容器がネスティングされた状態の長側壁に沿った部分垂直断面図である。
【図８】図８は、本発明の更に他の実施例の２つの運搬用容器がネスティングされる前の状態の斜視図である。
【図９】図９は、図８に示されている本発明の更に他の実施例の運搬用容器の一方の長側壁の断面図である。
【図１０】図１０は、本発明の更に他の実施例の２つの運搬用容器がネスティングされた状態の短側壁に沿った部分垂直断面図である。
【符号の説明】
【００４５】
Ｓ１・・・・・・・・・幅広ポケット・支脚部
Ｓ２・・・・・・・・・幅広支脚・ポケット部
ｃ１、ｃ２、ｃ３・・・支脚
ｐ１、ｐ２、ｐ３・・・ポケット
１・・・・・・・・・・底部
２ａ、２ｂ・・・・・・長側壁
２ｃ、２ｄ・・・・・・短側壁
３・・・・・・・・・・フランジ
８・・・・・・・・・・透孔
９、１１・・・・・・・凹部
【図１】
2008184228.tif 000003
【図２】
2008184228.tif 000004
【図３】
2008184228.tif 000005
【図４】
2008184228.tif 000006
【図５】
2008184228.tif 000007
【図６】
2008184228.tif 000008
【図７】
2008184228.tif 000009
【図８】
2008184228.tif 000010
【図９】
2008184228.tif 000011
【図１０】
2008184228.tif 000012